(57)【要約】【課題】音声のみが出力されている間に放電ランプで消費される電力を低減することができるプロジェクタを提供する。【解決手段】放電ランプ１１と、放電ランプ１１からの白色光を赤・緑・青の光に色時分割するカラーホイール１５と、色時分割された光を光変調する光変調部８と、スピーカ７と、オーディオオンリーボタンに係る信号を受信する受光部１３とを備え、該信号を受信した場合、光変調部８による光変調を停止させ、音声のみを出力するようにしてあるプロジェクタに、映像を表示する場合、放電ランプ１１に第１電力を供給し、音声のみを出力する場合、第１電力より小さく、アーク放電を維持することができる第２電力を放電ランプ１１に供給する点灯装置１０を備える。【選択図】図１
2007114407.tif 000002
【特許請求の範囲】
【請求項１】
映像を表示するための光を発する放電ランプと、該放電ランプに第１電力を供給する給電手段と、音声のみの出力を受け付ける受付手段とを備え、該受付手段が音声のみの出力を受け付けた場合、音声のみを出力するようにしてあるプロジェクタにおいて、
前記給電手段は、
前記第１電力を供給していて、前記受付手段が音声のみの出力を受け付けた場合、前記放電ランプに前記第１電力より小さい第２電力を供給する手段を備える
ことを特徴とするプロジェクタ。
【請求項２】
映像の表示を受け付ける表示受付手段を備え、
前記給電手段は、
前記第２電力を供給していて、前記表示受付手段が表示を受け付けた場合、前記放電ランプに前記第１電力を供給するようにしてある
ことを特徴とする請求項１に記載のプロジェクタ。
【請求項３】
前記受付手段が音声のみの出力を受け付けた時からの経過時間を計時する計時手段を備え、
前記給電手段は、
前記計時手段が所定時間の経過を計時した場合、電力の供給を停止する手段を備える
ことを特徴とする請求項１又は請求項２に記載のプロジェクタ。
【請求項４】
前記所定時間は、
前記給電手段が前記放電ランプに前記第２電力を供給した時から、前記放電ランプの温度が熱平衡に達するまでの時間である
ことを特徴とする請求項３に記載のプロジェクタ。
【請求項５】
前記第２電力は、
前記放電ランプの放電維持に必要な電力である
ことを特徴とする請求項１乃至請求項４のいずれか一つに記載のプロジェクタ。
【発明の詳細な説明】
【技術分野】
【０００１】
本発明は、映像を表示せずに音声のみを出力することができるプロジェクタに関する。
【背景技術】
【０００２】
従来のリアプロジェクタは、放電ランプ、例えば超高圧水銀ランプを備えており、該放電ランプからの白色光を等速回転するカラーホイールで赤・緑・青の光に色時分割し、色時分割された光をＤＭＤ（Ｄｉｇｉｔａｌ  Ｍｉｃｒｏｍｉｒｒｏｒ  Ｄｅｖｉｃｅ）で光変調してスクリーンに投射するように構成している。ＤＭＤによる光変調は、制御部によって制御される。
【０００３】
また、リアプロジェクタは、音声を出力するスピーカ、及び音声のみを出力させ、また音声のみの出力を解除させるためのオーディオオンリーボタンを備えている。
【０００４】
図５は、投射及び音声出力に係る制御部の処理手順を示すフローチャートである。
映像表示及び音声出力中にオーディオオンリーボタンが押圧された場合、制御部は、ＤＭＤへの映像信号の出力を停止して、映像表示を停止させる（ステップＳ２１）。映像表示が停止した場合、音声のみが出力される。
【０００５】
次いで、制御部は、オーディオオンリーボタンが押圧されたか否かを判定する（ステップＳ２２）。オーディオオンリーボタンが押圧されたと判定した場合（ステップＳ２２：ＹＥＳ）、制御部は、映像信号をＤＭＤへ出力することで映像の表示を再開し（ステップＳ２３）、処理を終える。オーディオオンリーボタンが押圧されていないと判定した場合（ステップＳ２２：ＮＯ）、制御部は、処理をステップＳ２２へ戻す。
【０００６】
このように構成されるリアプロジェクタにおいては、映像の表示を停止し、音声のみを出力することができる。
【特許文献１】特開２００４−３１９１９３号公報
【発明の開示】
【発明が解決しようとする課題】
【０００７】
しかしながら、従来のリアプロジェクタにおいては、映像が表示されず、音声のみが出力されている間も放電ランプは点灯しており、放電ランプで電力が浪費されるという問題があった。
【０００８】
なお、消灯した放電ランプを再点灯させるためには、放電ランプの温度が再点灯可能な所定温度以下になるまで待機する必要がある。従って、オーディオオンリーボタンが押圧された場合に放電ランプを消灯するように構成したリアプロジェクタにおいては、音声のみの出力を開始した場合、一定時間が経過するまで映像を再表示することができないという問題がある。
【０００９】
本発明は、斯かる事情に鑑みてなされたものであり、映像表示中に音声のみの出力を受け付けた場合、放電ランプに供給する電力を低減するように構成することにより、音声のみが出力されている間に放電ランプで消費される電力を低減することができるプロジェクタを提供することを目的とする。
【００１０】
本発明の他の目的は、音声のみの出力中に映像の表示を受け付けた場合、放電ランプに供給する電力を増加させるように構成することにより、音声のみを出力している状態から放電ランプの光量を増加させて映像の表示を直ちに再開することができるプロジェクタを提供することにある。
【００１１】
本発明の他の目的は、音声のみの出力を開始してから所定時間が経過した場合、放電ランプを消灯させるように構成することにより、音声のみを出力している間に放電ランプで消費される電力を更に低減することができるプロジェクタを提供することにある。
【００１２】
本発明の他の目的は、音声のみの出力を開始してから、放電ランプの温度が熱平衡に達するために必要な所定時間が経過した場合、つまり放電ランプの温度が十分に低下した場合、放電ランプを消灯させるように構成することにより、音声のみの出力を受け付けた時に放電ランプを消灯する場合に比べて、放電ランプの消灯後、速やかに放電ランプを再点灯させ、映像の表示を再開させることができるプロジェクタを提供することにある。
【００１３】
本発明の他の目的は、音声のみの出力を受け付けた場合、放電ランプの放電維持に必要な所定電力を放電ランプに供給するように構成することにより、音声のみの出力中に放電ランプの放電を維持することができ、映像の表示を受け付けた場合、直ちに放電ランプの光量を増加させて映像の表示を再開させることができるプロジェクタを提供することにある。
【課題を解決するための手段】
【００１４】
本発明に係るプロジェクタは、映像を表示するための光を発する放電ランプと、該放電ランプに第１電力を供給する給電手段と、音声のみの出力を受け付ける受付手段とを備え、該受付手段が音声のみの出力を受け付けた場合、音声のみを出力するようにしてあるプロジェクタにおいて、前記給電手段は、前記第１電力を供給していて、前記受付手段が音声のみの出力を受け付けた場合、前記放電ランプに前記第１電力より小さい第２電力を供給する手段を備えることを特徴とする。
【００１５】
本発明にあっては、放電ランプに映像を表示するための第１電力を供給していて、受付手段が音声のみの出力を受け付けた場合、給電手段は、放電ランプに第２電力を供給する。第２電力は、第１電力より小さいため、音声のみの出力中に第１電力を放電ランプに供給する従来のプロジェクタに比べて、放電ランプで消費される電力を低減することができる。
【００１６】
本発明に係るプロジェクタは、映像の表示を受け付ける表示受付手段を備え、前記給電手段は、前記第２電力を供給していて、前記表示受付手段が表示を受け付けた場合、前記放電ランプに前記第１電力を供給するようにしてあることを特徴とする。
【００１７】
本発明にあっては、放電ランプに第２電力が供給されていて、表示受付手段が映像の表示を受け付けた場合、供給手段は、放電ランプに第１電力を供給する。従って、第１電力が給電され、光量が増加した放電ランプを光源として、映像の表示が再開される。
【００１８】
本発明に係るプロジェクタは、前記受付手段が音声のみの出力を受け付けた時からの経過時間を計時する計時手段を備え、前記給電手段は、前記計時手段が所定時間の経過を計時した場合、電力の供給を停止する手段を備えることを特徴とする。
【００１９】
本発明にあっては、受付手段が音声のみの出力を受け付けた時からの経過時間を計時手段が計時する。そして、計時手段が所定時間の経過を計時した場合、給電手段は、電力の供給を停止する。つまり、放電ランプの温度が低下してから放電ランプを消灯する。
従って、音声のみを出力している間に放電ランプで消費される電力は、電力の供給を維持する場合に比べて更に低減される。また、受付手段が音声のみの出力を受け付けた時の放電ランプの温度に比べて、消灯時の放電ランプの温度は低温であるため、放電ランプの再点灯に要する時間は短い。
【００２０】
本発明に係るプロジェクタは、前記所定時間が、前記給電手段が前記放電ランプに前記第２電力を供給した時から、前記放電ランプの温度が熱平衡に達するまでの時間であることを特徴とする。
【００２１】
本発明にあっては、放電ランプの温度が熱平衡に達した場合、放電ランプを消灯するように構成しているため、第２電力が給電されている放電ランプの温度が最低温度になった後に、放電ランプは消灯する。従って、放電ランプの再点灯に要する時間は、最短である。
【００２２】
本発明に係るプロジェクタは、前記第２電力が、前記放電ランプの放電維持に必要な電力であることを特徴とする。
【００２３】
本発明にあっては、第２電力は、放電ランプの放電維持に必要な電力であるため、第２電力が供給されている放電ランプは消灯しない。従って、第２電力が放電ランプに供給されている場合、放電ランプに供給する電力を増加させることで、放電ランプの光量を直ちに増加させることができる。
【発明の効果】
【００２４】
本発明によれば、音声のみが出力されている間に放電ランプで消費される電力を低減することができる。
【００２５】
本発明によれば、音声のみを出力している状態から、放電ランプの光量を増加させて映像の表示を直ちに再開することができる。
【００２６】
本発明によれば、放電を維持する場合に比べて、音声のみを出力している間に放電ランプで消費される電力を更に低減することができる。
【００２７】
本発明によれば、音声のみの出力を受け付けた時に放電ランプを消灯する場合に比べて、放電ランプの消灯後、速やかに放電ランプを再点灯させ、映像の表示を再開させることができる。
【００２８】
本発明によれば、音声のみの出力中に放電ランプの放電を維持し、映像の表示を受け付けた場合、直ちに放電ランプの光量を増加させて映像の表示を再開させることができる。
【発明を実施するための最良の形態】
【００２９】
以下、本発明をその実施の形態を示す図面に基づいて詳述する。
図１は、本発明の実施の形態に係るリアプロジェクタの構成を示すブロック図である。本発明の実施の形態に係るリアプロジェクタは、映像の表示を停止して、音声のみを出力するオーディオオンリー機能を有しており、音声のみを出力する場合、映像を表示するための放電ランプ１１に供給する電力を低減させるようにしてある。
【００３０】
図中２は、アンテナＡで受信したＲＦ信号を増幅し、特定のチャンネルの信号を選択するデジタルチューナであり、デジタルチューナ２は、選択した信号をデジタルのデータにＡＤ変換し、ＡＤ変換したデータを復調部３に与える。特定のチャンネルは、制御部１から与えられる信号によって設定される。
【００３１】
デジタルチューナ２から出力されたデータは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調されていて、復調部３は、前記データを、ＭＰＥＧ２ＴＳ形式のトランスポートストリームに復調し、復調したトランスポートストリームをデマルチプレクサ４に与える。
【００３２】
トランスポートストリームは、複数のＴＳパケットから構成されていて、複数のＴＳパケットから、ビデオストリーム及び音声ストリームが復元される。
【００３３】
デマルチプレクサ４は、トランスポートストリームからビデオ及び音声のＴＳパケットを選択し、選択したＴＳパケットからなるビデオストリーム及び音声ストリームを、夫々音声信号処理部５及びビデオ信号処理部６に与える。
【００３４】
音声信号処理部５は、デマルチプレクサ４から与えられた音声ストリームを、ＭＰＥＧ２ＡＡＣ（Ａｄｖａｎｃｅｄ  Ａｕｄｉｏ  Ｃｏｄｉｎｇ）形式の圧縮伸張方式に従って復調する。そして、音声信号処理部５は、復調した音声ストリームをアナログの音声信号にＤＡ変換し、ＤＡ変換した音声信号を増幅してスピーカ７に与える。
【００３５】
ビデオ信号処理部６は、デマルチプレクサ４から与えらたビデオストリームを、ＭＰＥＧ２形式の圧縮伸張方式に従って復調し、復調したビデオストリームを赤・緑・青の時系列順のフレーム画に係る映像信号に変換して光変調部８に与える。
【００３６】
また、リアプロジェクタは、白色光を発する放電ランプ１１、放電ランプ１１を点灯させる点灯装置１０、放電ランプ１１からの白色光を赤・緑・青の光に色時分割するカラーホイール１５を備えており、光変調部８は、色時分割された光を時系列順に光変調し、光変調した変調光を投射レンズ群９に入射させる。
【００３７】
放電ランプ１１は、例えば超高圧水銀ランプであり、回転放物面の鏡面を有する図示しないリフレクタの焦点に発光中心が位置するようにリフレクタに固定されている。リフレクタは、カラーホイール１５側へ放電ランプ１１からの白色光を反射する。
【００３８】
カラーホイール１５は、赤色、緑色及び青色の扇型のカラーフィルタを周方向に配しており、放電ランプ１１の光域がカラーフィルタの回転通過域に位置するように配置されている。カラーホイール１５の中心部には、カラーホイール１５を等速回転させるモータの出力軸が接続されている。モータの回転は、制御部１が制御する。カラーホイール１５が等速回転している場合、白色光はカラーフィルタに順次的に入射し、時系列で色時分割される。カラーホイール１５により色時分割された赤・緑・青の光は、光変調部８へ出射される。
【００３９】
光変調部８は、ＤＭＤ及び該ＤＭＤを駆動するＤＭＤ駆動部を備えている。ＤＭＤは、映像の各ドット、例えばＳＶＧＡ規格の６００×８００のドットに対応付けられた複数の微小可動ミラーを備えている。ＤＭＤ駆動部は、カラーホイール１５から出射された光が、投射レンズ群９の内外へ選択的に反射するように、各微小可動ミラーを選択的に±１０度傾ける。ＤＭＤに入射した光は、ＤＭＤの微小可動ミラーにより光変調、即ち反射され、光変調された変調光は、投射レンズ群９へ出射される。
【００４０】
投射レンズ群９は、光変調部８にて光変調された変調光を投射するための投射レンズ、焦点を調整するフォーカスレンズ、及び投射される変調光の広がりを調整するズームレンズ等を備えており、入射した変調光は各レンズを通じてスクリーンＳに投射され、映像信号に係る映像がスクリーンＳに色時分割表示される。
【００４１】
制御部１は、ＣＰＵ、制御部１を動作させるためのプログラムを記憶したＲＯＭ、ＲＡＭ及びタイマー１ａ等を備えており、制御部１は、ＲＯＭが記憶している前記プログラムをＲＡＭに展開して実行することにより、チャンネル選択、復調、点灯装置１０から放電ランプ１１への電力の供給を制御する。
【００４２】
また、制御部１には、フォトダイオードからなり、遠隔操作装置１４から送信される赤外光の信号を受信する受光部１３が設けられている。
【００４３】
また、リアプロジェクタは、放電ランプ１１を空冷するためのファン１２ｂ及びファン１２ｂを駆動するファン駆動部１２ａを備えており、制御部１は、ファン駆動部１２ａに制御信号を与えることで、ファン１２ｂの回転及び停止を制御するように構成されている。
【００４４】
図２は、遠隔操作装置１４のブロック図である。遠隔操作装置１４は、略直方体の筐体を備え、電源ボタン１４ｂ、オーディオオンリーボタン１４ｃ、チャンネルボタン１４ｄ、音量ボタン１４ｅ等が筐体の操作面に配されている。筐体の前面側には、各ボタンが操作された場合、操作されたボタンに応じた信号を赤外光で送信する発光ダイオードを備えた発光部１４ａが設けられている。
【００４５】
図３は、点灯装置１０の構成を示すブロック図である。
点灯装置１０は、交流電源Ｖｓが接続され、交流電源Ｖｓの交流を直流に変換する直流電源回路１０ａ、直流電源回路１０ａの電圧を降圧することで放電ランプ１１に供給する電力を増減させる点灯回路１０ｂ、検出回路１０ｃ及び始動回路１０ｄを備えている。
【００４６】
直流電源回路１０ａは、交流電源Ｖｓの交流を全波整流するブリッジ型の全波整流回路、平滑コンデンサなどを備えており、整流及び平滑化された直流電圧を点灯回路１０ｂへ出力する。
【００４７】
点灯回路１０ｂは、直流電源の直流をオン・オフするスイッチングトランジスタＴｒを備えており、直流電源回路１０ａの陽極は、スイッチングトランジスタＴｒのエミッタに接続されている。スイッチングトランジスタＴｒのベースには、スイッチングトランジスタＴｒをオン・オフするＰＷＭ回路１０ｅが接続されている。
【００４８】
ＰＷＭ回路１０ｅは、放電ランプ１１に供給されている電力に応じて、制御部１から出力される後述の帰還信号に応じたデューティ比のパルス電圧をスイッチングトランジスタＴｒのベースに出力することによって、スイッチングトランジスタＴｒを前記デューティ比でオン・オフさせる。スイッチングトランジスタＴｒが前記デューティ比でオン・オフする場合、前記デューティ比に応じた電力が点灯回路１０ｂから放電ランプ１１へ出力される。
【００４９】
スイッチングトランジスタＴｒのコレクタには、還流ダイオードＤのカソードが接続されており、還流ダイオードＤのアノードは接地されている。還流ダイオードＤには、スイッチングトランジスタＴｒの出力電圧のリップルを低減するチョークコイルＬ及び平滑コンデンサＣが直列に接続されている。つまり、還流ダイオードＤのカソードにチョークコイルＬの一端が接続されており、チョークコイルＬの他端は、平滑コンデンサＣの一端に接続されている。そして、平滑コンデンサＣの他端は、還流ダイオードＤのアノードに接続されている。
【００５０】
検出回路１０ｃは、複数の抵抗器からなり、点灯回路１０ｂが放電ランプ１１に与える電圧及び電流を検出するための信号を制御部１に与える。
【００５１】
始動回路１０ｄは、放電ランプ１１の始動時に約４ｋＶの直流高電圧を発生する高圧発生部、始動時に高圧発生部と点灯回路１０ｂとを切断するためのリレー、点灯回路１０ｂ側への電流の逆流を防ぐ高電圧ダイオードなどを備え、放電ランプ１１に４ｋＶの高電圧を与えることで放電ランプ１１を始動させる回路である。
【００５２】
制御部１は、検出回路１０ｃから出力された信号に応じた帰還信号をＰＷＭ回路１０ｅに与えることにより、放電ランプ１１に所定の第１電力又は第２電力を供給する。第１電力は、映像表示に必要な光量で放電ランプ１１を点灯させるために必要な電力である。第２電力は、前記第１電力より低電力であり、放電ランプ１１のアーク放電を維持するために必要な電力である。
【００５３】
図４は、放電ランプ１１に供給する電力の制御に係る制御部１の処理手順を示すフローチャートである。
映像表示及び音声出力中に点灯装置１０が第１電力を放電ランプ１１に供給していて、オーディオオンリーボタン１４ｃの信号を受信した場合、制御部１は、タイマー１ａによる計時を開始させる（ステップＳ１）。
【００５４】
次いで、制御部１は、デマルチプレクサ４から光変調部８への映像信号の出力を停止させる（ステップＳ２）。
そして、制御部１は、放電ランプ１１に第２電力を供給するための制御信号を点灯装置１０に与えることで、放電ランプ１１に第２電力を供給する（ステップＳ３）。具体的には、制御部１は、点灯装置１０のＰＷＭ回路１０ｅへ与える帰還信号のデューティ比を減少させることで、放電ランプ１１に供給する電力を低減させる。
【００５５】
次いで、制御部１は、タイマー１ａが第１所定時間を計時したか否かを判定する（ステップＳ４）。第１所定時間は、放電ランプ１１に第２電力の供給を開始した時から、放電ランプ１１の温度が熱平衡に達するまでの時間である。
タイマー１ａが第１所定時間を計時していないと判定した場合（ステップＳ４：ＮＯ）、制御部１は、受光部１３にてオーディオオンリーボタン１４ｃの信号を受信したか否かを判定する（ステップＳ５）。
【００５６】
オーディオオンリーボタン１４ｃの信号を受信したと判定した場合（ステップＳ５：ＹＥＳ）、制御部１は、第１電力の供給に係る後述のステップＳ１１の処理を実行する。
オーディオオンリーボタン１４ｃの信号を受信していないと判定した場合（ステップＳ５：ＮＯ）、制御部１は、処理をステップＳ４へ戻す。
【００５７】
ステップＳ４でタイマー１ａが第１所定時間を計時したと判定した場合（ステップＳ４：ＹＥＳ）、制御部１は、電力の供給を停止させる制御信号を点灯装置１０に与えることにより、放電ランプ１１への電力の供給を停止させる（ステップＳ６）。
【００５８】
次いで、制御部１は、タイマー１ａをリセットする（ステップＳ７）。つまり、ステップＳ７の処理によって、タイマー１ａは、放電ランプ１１への電力の供給が停止した時からの経過時間を計時する。
【００５９】
そして、制御部１は、受光部１３にてオーディオオンリーボタン１４ｃの信号を受信したか否かを判定する（ステップＳ８）。オーディオオンリーボタン１４ｃの信号を受信したと判定した場合（ステップＳ８：ＹＥＳ）、制御部１は、タイマー１ａが第２所定時間を計時したか否かを判定する（ステップＳ９）。第２所定時間は、放電ランプ１１を消灯してから、放電ランプ１１の温度が再点灯可能な温度まで低下するまでに必要な時間である。オーディオオンリーボタン１４ｃの信号を受信していないと判定した場合（ステップＳ８：ＮＯ）、制御部１は、再度ステップＳ８の処理を実行する。
【００６０】
第２所定時間をタイマー１ａが計時したと判定した場合（ステップＳ９：ＹＥＳ）、制御部１は、点灯装置１０に放電ランプ１１を点灯させる信号を与えることで、放電ランプ１１を点灯させる（ステップＳ１０）。
【００６１】
ステップＳ１０の処理を終えた場合、又はステップＳ５でオーディオオンリーボタン１４ｃの信号を受信したと判定した場合（ステップＳ５：ＹＥＳ）、制御部１は、放電ランプ１１に第１電力を供給する（ステップＳ１１）。第２所定時間をタイマー１ａが計時していないと判定した場合（ステップＳ９：ＮＯ）、制御部１は、再度ステップＳ９の処理を実行する。
【００６２】
ステップＳ１１の処理を終えた場合、制御部１は、デマルチプレクサ４から光変調部８への映像信号の出力を開始させ（ステップＳ１２）、処理を終える。
【００６３】
このように構成されたリアプロジェクタにあっては、映像表示及び音声出力中にオーディオオンリーボタン１４ｃが操作された場合、放電ランプ１１に供給される電力は、ステップＳ３の処理によって、第１電力から第２電力に低減する。従って、映像の表示を停止し、音声のみが出力されている間に放電ランプ１１で消費される電力を低減することができる。
【００６４】
また、音声のみの出力を開始してから第１所定時間が経過するまでの間、アーク放電を維持することができる第２電力を放電ランプ１１に供給するため、第１所定時間が経過するまでの間であれば、放電ランプ１１に供給する電力を増加させるだけで、直ちに放電ランプ１１の光量を増加させ、映像の表示を再開することができる。
【００６５】
更に、音声のみの出力を開始してから第１所定時間が経過した場合、放電ランプ１１への電力の供給を停止するため、音声のみの出力中に放電ランプ１１で消費される電力を更に低減することができる。
【００６６】
更にまた、音声のみの出力を開始してから第１所定時間が経過した場合、つまり放電ランプ１１の温度が熱平衡に達した場合、放電ランプ１１を消灯するように構成しているため、放電ランプ１１の温度が熱平衡に達する前に放電ランプ１１を消灯する場合に比べて、より速やかに放電ランプ１１の点灯を開始して、映像の表示を再開することができる。
【００６７】
なお、実施の形態においては、放電ランプに供給する電力をＰＷＭ回路にて制御しているが、放電ランプに第１電力及び第２電力を選択的に供給することができる回路であれば、他の構成であっても良い。
【００６８】
また、遠隔操作装置のオーディオオンリーボタンが操作された場合、音声のみの出力を開始するように構成されているが、音声のみの出力を受け付けることができれば、他の構成、例えばリアプロジェクタの本体に配設されたオーディオオンリーボタンによって、音声のみの出力を受け付けるように構成しても良い。
【００６９】
更に、超高圧水銀ランプを備えたリアプロジェクタを説明したが、メタルハライドランプなどの他の放電ランプであっても良い。
【００７０】
更にまた、放電ランプに第２電力を供給した時から計時を開始することにより、放電ランプに第２電力を供給してからの経過時間を計時しているが、経過時間を計時する基準時は、第２電力を供給した時点に限らず、他の時点でも良い。
【００７１】
更にまた、音声のみの出力を受け付けた場合、映像の表示を停止し、音声のみを出力するように構成してあるが、スクリーンに映像が表示されないのであれば映像出力端子から映像信号を出力するように構成しても良い。
更にまた、ＤＭＤを備え、ＤＭＤにて光変調するように構成しているが、他の光変調素子、例えば液晶パネルを備え、該光変調素子にて光変調するように構成しても良い。
【図面の簡単な説明】
【００７２】
【図１】本発明の実施の形態に係るリアプロジェクタの構成を示すブロック図である。
【図２】遠隔操作装置のブロック図である。
【図３】点灯装置の構成を示すブロック図である。
【図４】放電ランプに供給する電力の制御に係る制御部の処理手順を示すフローチャートである。
【図５】投射及び音声出力に係る制御部の処理手順を示すフローチャートである。
【符号の説明】
【００７３】
１  制御部
１ａ  タイマー
２  デジタルチューナ
３  復調部
４  デマルチプレクサ
５  音声信号処理部
６  ビデオ信号処理部
７  スピーカ
８  光変調部
９  投射レンズ群
１０  点灯装置
１０ａ  直流電源回路
１０ｂ  点灯回路
１０ｃ  検出回路
１０ｄ  始動回路
１０ｅ  ＰＷＭ回路
１１  放電ランプ
１２ａ  ファン駆動部
１２ｂ  ファン
１３  受光部
１４  遠隔操作装置
１４ａ  発光部
１４ｂ  電源ボタン
１４ｃ  オーディオオンリーボタン
１４ｄ  チャンネルボタン
１４ｅ  音量ボタン
１５  カラーホイール
Ｓ  スクリーン
【図１】
2007114407.tif 000003
【図２】
2007114407.tif 000004
【図３】
2007114407.tif 000005
【図４】
2007114407.tif 000006
【図５】
2007114407.tif 000007